(57)【要約】【課題】出納機が接続する現金管理装置の現金在高を管理でき、現金管理装置の現金在高と、それ以外の店舗内の手許在高とを区別して管理することができるようにする。【解決手段】本発明は、現金管理装置と接続する複数の現金処理装置が相互に情報を授受して現金在高の集計処理を行う現金処理システムである。各現金処理装置は、機械在高を管理する機械在高管理手段と、接続する現金管理装置の現金管理装置在高と、現金管理装置在高以外の手許在高とを区別して手許在高を管理し、集計を行う現金処理装置は他の現金処理装置に管理在高情報の要求し、他の現金処理装置は、自装置の機械在高と現金管理装置在高とそれ以外の手許在高とを含む管理在高情報を要求元に応答し、集計を行う現金処理装置は、他の現金処理装置からの管理在高情報に基づいて在高の合算処理を行う。【選択図】      図１
2014153952.tif 000002
【特許請求の範囲】
【請求項１】
それぞれ現金管理装置と接続する複数の現金処理装置が相互に情報を授受して現金在高の集計処理を行う現金処理システムにおいて、
上記複数の現金処理装置はそれぞれ、
自装置内部に収納される機械在高を管理する機械在高管理手段と、
接続する上記現金管理装置に収納される現金管理装置在高と、現金管理装置在高以外の手許在高とを区別して手許在高を管理する手許在高管理手段と
を備え、
上記複数の現金処理装置のうち、集計処理を行う現金処理装置は、他の現金処理装置に対して管理在高情報の要求を行う管理在高情報要求手段を有し、
上記他の現金処理装置は、自装置の上記機械在高と、上記現金管理装置在高と、上記現金管理装置以外の手許在高とを含む管理在高情報を要求元に応答する管理在高情報応答手段を有し、
上記現金在高の集計処理を実行する現金処理装置は、上記他の現金処理装置から取得した上記管理在高情報に基づいて、現金在高の合算処理を行う現金在高算出手段を有する
ことを特徴とする現金処理システム。
【請求項２】
上記現金在高算出手段が、上記他の現金処理装置から取得した上記管理在高情報に基づいて、上記各機械在高の合算、上記各現金管理装置在高の合算、上記現金管理装置以外の手許在高の合算を行うものであることを特徴とする請求項１に記載の現金処理システム。
【請求項３】
上記各現金処理装置の手許在高管理手段が、接続する上記現金管理装置に収納される現金管理装置在高を管理する現金管理装置在高管理部を有することを特徴とする請求項１又は２に記載の現金処理システム。
【請求項４】
上記他の現金処理装置は、上記手許在高管理手段により管理される全体の手許在高から上記現金管理装置在高を減算して、上記現金管理装置在高以外の手許在高を算出するものであることを特徴とする請求項１〜３のいずれかに記載の現金処理システム。
【請求項５】
上記各現金処理装置が複数の現金管理装置と接続する場合、上記手許在高管理手段が、上記複数の現金管理装置毎の在高を管理するものであることを特徴とする請求項１〜４のいずれかに記載の現金処理システム。
【請求項６】
上記各現金処理装置が複数の現金管理装置と接続する場合、上記手許在高管理手段が、上記複数の現金管理装置の全てに収納される在高をまとめたものを上記現金管理装置在高とすることを特徴とする請求項１〜５のいずれかに記載の現金処理ステム。
【請求項７】
現金管理装置と接続する現金処理装置において、
自装置内部に収納される機械在高を管理する機械在高管理手段と、
接続する上記現金管理装置に収納される現金管理装置在高と、現金管理装置在高以外の手許在高とを区別して手許在高を管理する手許在高管理手段と
を備えることを特徴とする現金処理装置。
【請求項８】
現金管理装置と接続する現金処理装置の現金処理プログラムにおいて、
コンピュータを、
自装置内部に収納される機械在高を管理する機械在高管理手段、
接続する上記現金管理装置に収納される現金管理装置在高と、現金管理装置在高以外の手許在高とを区別して手許在高を管理する手許在高管理手段
として機能させることを特徴とする現金処理プログラム。
【発明の詳細な説明】
【技術分野】
【０００１】
本発明は、現金処理システム、現金処理装置及び現金処理プログラムに関し、例えば、金融機関等における店舗内の現金在高を管理する現金処理システム、現金処理装置及び現金処理プログラムに適用し得るものである。
【背景技術】
【０００２】
例えば、銀行等の金融機関は、各店舗において、現金の入出金管理や店舗内の現金在高を管理する出納機を有している。金融機関は、その店舗規模等にもよるが、１店舗で複数台の出納機を有して使用する場合がある。金融機関が１店舗で複数台の出納機を用いる場合、各出納機は他の出納機の管理する現金在高を収集・集計することができ、各出納機は１店舗内の現金在高を一元管理することができる（特許文献１参照）。
【０００３】
図２は、従来の複数台の出納機が店舗内の現金在高を管理する方法を説明する説明図である。図２では、２台の出納機が接続されている場合を例示する。また、図２では、出納機９−１が、他の出納機９−２の管理する現金在高を収集して集計する場合を例示する。
【０００４】
図２において、出納機９−１及び出納機９−２はそれぞれの現金在高を個別に管理している。つまり、出納機９−１は、現金在高として、自身の機械内部の現金在高である「機械在高Ａ」と、出納機９−１に関連する金庫等に保管される現金の在高である「手許在高Ａ」とを管理する。同様に、出納機９−２は、自身が管理する「機械在高Ｂ」と「手許在高Ｂ」とを管理する。
【０００５】
店舗において入出金や在高の集計（いわゆる、締め上げ処理）を行う際、出納機９−１は、出納機９−２で管理される「機械在高Ｂ」と「手許在高Ｂ」とを取得する。このとき、出納機９−２は、自身で管理する「手許在高Ｂ」から出納機Ａに通知した「手許在高Ｂ」を減算し、「手許在高Ｂ」を「０」とする。
【０００６】
手許在高は、金庫等に保管される現金在高である。複数の金庫がある場合、店員等はいずれかの金庫から現金を出金したり保管したりすることがある。しかし、手許在高は店舗内で整合が取れていればよい。従って、出納機９−１は、店舗全体の手許在高を求めるため、手許在高Ａと手許在高Ｂを合算して店舗全体の手許有高とする。これにより、出納機９−１は、「機械在高Ａ」、「機械在高Ｂ」、「手許在高（Ａ＋Ｂ）」を店舗内の現金在高として管理する。
【０００７】
例えば、出納機９−１において、機械有高Ａが５００万円であり、手許有高が１，０００万円であり、管理在高（すなわち在高合計）は１，５００万円とする。
【０００８】
また、出納機９−２において、機械有高Ｂが３００万円であり、手許有高Ｂが「−１００万円」であり、管理在高（在高合計）は２００万円とする。
【０００９】
（１）出納機９−１は締め上げ処理により出納機９−２に在高要求を送信する。
【００１０】
（２）出納機９−２は、在高要求を受信後、機械在高Ｂと手許在高Ｂを出納機９−１に送信します。出納機Ｂの手許在高Ｂは、「０」（出納機９−１に通知した手許在高Ｂを減算（−１００万）−（−１００万）＝０）として管理する。
【００１１】
上記（１）、（２）により出納機９−１及び出納機９−２で管理する在高は、図３に示すようになる。
【００１２】
出納機９−１の管理在高は、１，４００万円（機械在高Ａ：５００万円、手許在高（Ａ＋Ｂ）：９００万円）とし、出納機９−２の管理在高は、３００万円（機械在高Ｂ：３００万、手許在高Ｂ：０円）とする。
【００１３】
従って、図３に示すように、出納機９−１は、店舗内の在高（全体）を、「出納機９−１の在高：５００万」、「出納機９−２の在高：３００万」、「手許在高：９００万」、「在高合計１，７００万円」と管理することになる。
【００１４】
また、近年、金種毎に所定枚数単位で紙幣を紙帯で束ねた小束や、金種毎に所定枚数単位の硬貨を棒状に重ねて包んだ棒金を管理する現金バス装置が金庫に代えて使用される。
【００１５】
現金バス装置はそれぞれ出納機と接続されており、各出納機が現金バス装置に保管される現金在高を管理している。
【先行技術文献】
【特許文献】
【００１６】
【特許文献１】特開平３−２０８１９７号公報
【発明の概要】
【発明が解決しようとする課題】
【００１７】
しかしながら、上述したように従来の出納機による現金在高の管理方法は、各出納機が接続される現金バス装置の現金在高を管理するものではない。
【００１８】
現金バス装置は、小束や棒金を保管する金庫として使用される。従来は、各出納機が管理する手許在高には、現金バス装置の現金在高が含まれることになる。つまり、各出納機は、自身に接続される現金バス装置の現金在高と、現金バス装置以外の手許在高とを区別していない。
【００１９】
従って、出納機が管理する現金バス装置の在高と実際に現金バス装置の在高とに食い違いが生じ得、出納機が現金バス装置の現金在高を適切に管理することができないという問題が生じ得る。
【００２０】
例えば、出納機９−１が現金バス装置と接続しており、出納機９−２が現金バス装置と接続しているとする。
【００２１】
この場合、出納機９−１の管理在高は「１，８００万円」とする。その内訳は、機械在高Ａが「５００万円」、手許在高Ａが「１，３００万円」とする。但し、現金バス装置の現金バス在高Ａが「３００万円」とする。
【００２２】
一方、出納機９−２の管理在高は「２００万円」とする。その内訳は、機械在高Ｂが「４００万円」、手許在高Ｂが「−２００万円」とする。但し、現金バス装置の現金バス在高Ｂが「２００万円」とする。
【００２３】
この場合、図１０に示すように、出納機９−２は、機械在高Ｂと手許在高Ｂとを出納機９−１に通知する。従って、出納機９−２は手許在高Ｂが「０」として管理する。なぜなら、出納機９−２は、手許在高から出納機９−１に通知した手許在高Ｂを減算するため、「（−２００万）−（−２００万）＝０」となるからである。
【００２４】
その結果、出納機９−１及び９−２は、図１０に示すよう結果を管理することになる。本来、出納機９−１は、現金バス装置の現金在高「３００万円」、出納機９−２は、現金バス装置の現金在高「２００万円」を管理する必要がある。しかし、図１０に示すように、従来の出納機は、接続する現金バス装置の現金在高を管理することができない。
【００２５】
そのため、出納機が自身に接続される現金バス装置の現金在高を管理することができ、現金バス装置の現金在高と、現金バス装置以外の店舗内の手許在高とを区別して管理することができる現金処理システム、現金処理装置及び現金処理プログラムが求められる。
【課題を解決するための手段】
【００２６】
かかる課題を解決するために、第１の本発明は、それぞれ現金管理装置と接続する複数の現金処理装置が相互に情報を授受して現金在高の集計処理を行う現金処理システムにおいて、複数の現金処理装置はそれぞれ、（１）自装置内部に収納される機械在高を管理する機械在高管理手段と、（２）接続する現金管理装置に収納される現金管理装置在高と、現金管理装置在高以外の手許在高とを区別して手許在高を管理する手許在高管理手段とを備え、複数の現金処理装置のうち、集計処理を行う現金処理装置は、他の現金処理装置に対して管理在高情報の要求を行う管理在高情報要求手段を有し、他の現金処理装置は、自装置の上記機械在高と、現金管理装置在高と、現金管理装置以外の手許在高とを含む管理在高情報を要求元に応答する管理在高情報応答手段を有し、現金在高の集計処理を実行する現金処理装置は、他の現金処理装置から取得した管理在高情報に基づいて、現金在高の合算処理を行う現金在高算出手段を有することを特徴とする現金処理システムである。
【００２７】
第２の本発明は、現金管理装置と接続する現金処理装置において、（１）自装置内部に収納される機械在高を管理する機械在高管理手段と、（２）接続する現金管理装置に収納される現金管理装置在高と、現金管理装置在高以外の手許在高とを区別して手許在高を管理する手許在高管理手段とを備えることを特徴とする現金処理装置である。
【００２８】
第３の本発明は、現金管理装置と接続する現金処理装置の現金処理プログラムにおいて、コンピュータを、（１）自装置内部に収納される機械在高を管理する機械在高管理手段、（２）接続する現金管理装置に収納される現金管理装置在高と、現金管理装置在高以外の手許在高とを区別して手許在高を管理する手許在高管理手段として機能させることを特徴とする現金処理プログラムである。
【発明の効果】
【００２９】
本発明によれば、現金処理装置（出納機）が接続される現金管理装置（現金バス装置）の現金在高を管理することができ、現金バス装置の現金在高と、現金バス装置以外の店舗内の手許在高とを区別して管理することができる。
【図面の簡単な説明】
【００３０】
【図１】実施形態に係る現金処理システムの全体構成を示す構成図である。
【図２】従来の複数台の出納機が店舗内の現金在高を管理する方法を説明する説明図である。
【図３】従来の出納機による現金管理結果を説明する説明図である（その１）。
【図４】実施形態に係る出納機の構成を示す構成図である。
【図５】実施形態に係る出納機の制御装置の内部構成を示す機能ブロック図である。
【図６】実施形態に係る現金バス装置の外観構成を示す構成図である。
【図７】実施形態の現金バス装置の制御構成を示すブロック図である。
【図８】実施形態に係る現金処理システムにおける現金在高の管理処理の動作をシーケンス図である。
【図９】実施形態の出納機による現金管理結果を説明する説明図である。
【図１０】従来の出納機による現金管理結果を説明する説明図である（その２）。
【図１１】変形実施形態に係る現金処理システムの全体構成を示す構成図である。
【図１２】変形実施形態に係る現金処理システムの全体構成を示す構成図である。
【発明を実施するための形態】
【００３１】
（Ａ）主たる実施形態
以下では、本発明の現金処理システム、現金処理装置及び現金処理プログラムの実施形態を、図面を参照しながら詳細に説明する。
【００３２】
（Ａ−１）実施形態の構成
（Ａ−１−１）現金処理システムの全体構成
図１は、実施形態に係る現金処理システムの全体構成を示す構成図である。図１において、実施形態に係る現金処理システム１００は、複数台（図１では２台）の出納機２０−１及び２０−２と、複数台（図１では２台）の現金バス装置１０−１及び１０−２とを有する。
【００３３】
図１の現金処理システム１００は、例えば銀行等の金融機関の店舗内に設けられるものである。現金処理システム１００は、店舗において複数台の出納機２０−１及び２０−２を備える。出納機２０−１及び２０−２はそれぞれ異なる対応する現金バス装置１０−１及び１０−２と通信回線を通じて接続されている。
【００３４】
出納機２０（２０−１及び２０−２）は、金融機関の店舗内での現金の出金又は入金を管理するものである。例えば、出納機２０−１及び２０−２は、金融機関の店舗において接客用カウンタの後方等のようにお客から離れた位置に設置される。
【００３５】
また、出納機２０−１及び２０−２は、それぞれ対応する現金バス装置１０−１及び１０−２に保管される現金在高を管理する。図１では、出納機２０−１が現金バス装置１０−１の現金在高を管理し、出納機２０−２が現金バス装置１０−２の現金在高を管理するものとする。
【００３６】
さらに、複数台の出納機２０−１及び２０−２は、通信回線を通じて接続されている。出納機２０−１及び２０−２のいずれか一方は、他の出納機から入出金情報や在高情報等を取得し、他の出納機及び自身の入出金情報や在高情報に基づいて集計処理を行い、店舗全体の入出金や在高等の集計処理（いわゆる、締め上げ処理）を行う。
【００３７】
ここで、店舗において締め上げ処理を行う出納機２０は、複数台の内のいずれかであればよい。例えば、予め設定されている出納機２０が締め上げ処理を行うようにしても良い。また例えば、出納機２０−１及び２０−２の両方が店舗全体の集計処理を行うことが可能であり、利用者により選択された出納機２０が店舗全体の集計処理を行うようにしても良い。
【００３８】
現金バス装置１０−１及び１０−２は、所定枚数の紙幣を紙帯で施封した小束や、所定枚数単位の硬貨を棒状に重ねて包んだ棒金を収納するものである。例えば、現金バス装置１０−１及び１０−２は、金融機関の係員に使用されるものであり、店舗の接客カウンタに近い位置に配置される。
【００３９】
現金バス装置１０−１及び１０−２は、それぞれ対応する出納機２０−１及び２０−２の制御により現金在高が管理される。
【００４０】
（Ａ−１−２）出納機２０の構成
図４は、実施形態に係る出納機２０の構成を示す構成図である。なお、複数台の出納機２０−１及び２０−２はいずれも同一又は対応するものを適用することができる。そのため、以下では、出納機２０と称することし、出納機の構成を詳細に説明する。
【００４１】
図４において、実施形態に係る出納機２０は、紙幣入出金機２０１、施封小束支払機２０２、紙幣補充回収機２０３、新券支払機２０４、棒金支払機２０５、硬貨入出金機２０６、現金外ポスト２０７、制御装置２０８、認証プリンタ２０９、ディスプレイ２１０、キーボード２１１を有する。
【００４２】
出納機２０は、上述した複数の構成要素を備えるものである。各構成要素の全部又は一部の配置は、特に限定されるものではない。つまり、出納機２０は、必要に応じて、各構成要素の配置を変えるようにしても良い。
【００４３】
また、出納機２０は、各構成要素の間で紙幣を搬送する搬送路を内部に備える。例えば、施封小束支払機２０２、紙幣補充回収機２０３及び紙幣入出金機２０１は、装置間で紙幣を搬送する搬送路を内部に備える。これにより、例えば紙幣入出金機２０１に入金された紙幣を、施封小束支払機２０２や紙幣補充回収機２０３に搬送することができる。
【００４４】
制御装置２０８は、出納機２０全体の機能を制御するものである。制御装置２０８は、例えば、ＣＰＵ、ＲＯＭ、ＲＡＭ、ＥＥＰＲＯＭ、入出力インタフェース、通信部等を有して構成されるものである。制御装置２０８は、入力手段としてのキーボード２１１から入力情報を取得し、出納機２０の各種機能を制御する。
【００４５】
紙幣入出金機２０１は、１枚単位で紙幣を入金又は出金するものである。また、紙幣入出金機２０１は、複数枚の紙幣を縦置き又は横置きに収納する紙幣カセットを有している。紙幣入出金機２０１は、紙幣カセットに収納された紙幣を１枚ずつ装置内部の搬送路を介して施封小束支払機２０２に搬送する。これにより、紙幣入出金機２０１の紙幣カセットに収納された紙幣を小束に施封することができる。
【００４６】
施封小束支払機２０２は、金種別の紙幣を所定枚数（例えば１００枚）毎に施封して小束にした状態で、小束を収納したり又は出金したりするものである。施封小束支払機２０２は、紙幣入出金機２０１から搬送された紙幣を所定枚数ずつ計数し、所定枚数の紙幣を金種別に施封する。
【００４７】
紙幣補充回収機２０３は、例えばＡＴＭ等の現金自動預払機の現金カセットに紙幣を補充したり又は現金カセットから現金を回収したりするものである。例えば、紙幣補充回収機２０３は、現金自動預払機から脱着した現金カセットを内部にセットすることができる。そして、紙幣補充回収機２０３は、制御装置２０８の制御を受けて、セットされた現金カセットに紙幣を補充したり又は回収したりする。
【００４８】
新券支払機２０４は、各金種の新券を出金するものである。
【００４９】
棒金支払機２０５は、金種別の硬貨を所定枚数毎に棒状に重ねて、例えば樹脂フィルム等で包んだ棒金を出金するものである。例えば、棒金支払機２０５は、複数の硬貨を収納する収納部を有している。そして、棒金支払機２０５は、制御装置２０８の制御を受けて、収納部に収納される硬貨を計数し、所定枚数の硬貨を重ねて樹脂フィルム等で包んで棒金を出金する。
【００５０】
硬貨入出金機２０６は、１枚単位で硬貨を入金又は出金するものである。
【００５１】
現金外ポスト２０７は、例えば小切手や定期預金証書等の有価証券を取り込んで収納するものである。現金外ポスト２０７は、取り込んだ有価証券の入金処理を行う。
【００５２】
認証プリンタ２０９は、紙幣入出金機２０１、施封小束支払機２０２、紙幣補充回収機２０３、新券支払機２０４、棒金支払機２０５、硬貨入出金機２０６で行われる入金や出金などの処理内容を所定の帳票等に印字して出力するものである。
【００５３】
ディスプレイ２１０は、例えば、出納機１０における各種処理の選択メニューや、各種処理に必要な操作画面や、キーボード２１１を通じて入力された入力情報等を表示する表示手段である。
【００５４】
キーボード２１１は、利用者操作により情報を入力する入力手段である。なお、ここでは、キーボード２１１は入力手段の一例であり、入力手段はマウスやテンキー等その他入力手段を含む概念である。また、この実施形態では、ディスプレイ２１０とキーボード２１１とが物理的に異なる手段として説明するが、入力手段が例えばタッチパネル等のようにディスプレイと一体型ものであっても良い。
【００５５】
図５は、実施形態に係る出納機２０の制御装置２０８の内部構成を示す機能ブロック図である。なお、図５では、制御装置２０８が実行する機能のうち、主に現金在高を管理する現金処理制御に関する機能を示している。
【００５６】
図５において、制御装置２０８は、現金処理制御部３００と、通信部３７０とを有する。また、現金処理制御部３００は、大別して、集計処理部３１０、被収集部３２０、機械有高管理部３３０、現金バス連携処理部３４０、手許在高管理部３５０、記憶部３６０を有する。
【００５７】
通信部３７０は、店舗内に敷設された通信回線との間で情報の授受を行うものである。これにより、出納機２０は、他の出納機２０との間で管理情報（例えば、入金データ、出金データ、在高データ等）の授受や、対応する現金バス装置１０との間で管理情報や制御情報の授受等を行うことができる。
【００５８】
現金処理制御部３００は、現金処理を制御するものである。現金処理制御部３００は、自身の出納機２０の現金在高（機械有高）、対応する現金バス装置１０の現金在高（現金バス在高）、手許在高等を管理するものである。また、現金処理制御部３００は、現金在高の管理以外に、例えば、自身の出納機２０における入出金処理、店舗全体における入出金に係る集計処理、対応する現金バス装置１０への現金の保管又は出金の管理等も行う。
【００５９】
機械在高管理部３３０は、当該出納機２０に存在する現金在高を管理するものである。例えば、機械在高管理部３３０は、締め上げ処理を行う際、紙幣入出金機２０１、硬貨入出金機２０６に対して金種別の現金在高の問い合せを行い、紙幣入出金機２０１、硬貨入出金機２０６から金種別の現金在高を取得して管理する。また、機械在高管理部３３０は、出納機２０における金種別の現金在高を記憶部３６０に記憶する。
【００６０】
現金バス連携処理部３４０は、通信部３７０を介して、対応する現金バス装置１０との間で連携処理を行うものである。例えば、現金バス連携処理部３４０は、現金バス装置１０に現金を保管する際に、現金バス装置１０の収納庫のロック機構を解錠したり、又複数段ある収納庫のうち、どの収納庫に現金を収納させるかの収納先ガイダンスをディスプレイ２１０に表示させたりする。
【００６１】
また、現金バス連携処理部３４０は、現金バス装置１０が管理する管理情報（現金バス在高のデータ）を取得するものである。現金バスの現金在高のデータの取得方法は、種々の方法を適用できる。例えば、現金バス連携処理部３４０が、定期的に、現金バス装置１０に対して現金バス現金在高の取得要求を行い、現金バス現金在高を取得するようにしても良い。また例えば、定期的に、あるいは、現金バス装置１０において現金の収納や取り出しがあった際に、現金バス装置１０が、現金バス在高を現金バス連携処理部３４０に通知するようにしても良い。
【００６２】
手許在高管理部３５０は、店舗において、管理すべき金庫等に存在する金種別の手許在高を管理するものである。また、手許在高管理部３５０は、金種別の手許在高を記憶部３６０に記憶する。また、手許在高管理部３５０は、現金バス在高管理部３５１を有する。
【００６３】
現金バス在高管理部３５１は、対応する現金バス装置１０における現金在高（現金バス在高）を管理するものである。現金バス在高管理部３５１は、現金バス連携処理部３４０により取得された現金バス装置１０の現金在高を現金バス在高として管理するものである。これにより、手許在高のうち、現金バス在高を別で管理することができる。
【００６４】
集計処理部３１０は、店舗全体の現金在高の集計を行う出納機２０の制御装置２０８が実行する機能ブロック図である。例えば、２台の出納機２０−１及び２０−２はいずれも店舗全体の締め上げ処理を行うことができる。いずれの出納機２０−１及び２０−２を利用するかは利用者の判断による。店舗全体の締め上げ処理を行う出納機２０として、例えば出納機２０−１が選ばれるとする。この場合、出納機２０−１の制御装置２０８が集計処理部３１０として機能する。
【００６５】
集計処理部３１０は、管理在高情報要求部３１１、管理在高情報取得部３１２、在高算出部３１３、情報出力部３１５を有する。
【００６６】
管理在高情報要求部３１１は、他の出納機２０に対して、管理在高情報の要求を行うものである。例えば、店舗全体の締め上げ処理が選択されたときに、管理在高情報要求部３１１は、店舗に設けられた全ての他の出納機２０を宛先として管理在高情報の要求を行う。このとき、通信部３７０は、他の出納機２０を宛先とする要求信号を送信する。
【００６７】
管理在高情報取得部３１２は、自身又は他の出納機２０の管理在高情報を取得するものである。つまり、管理在高情報取得部３１２は、他の出納機２０から受信した受信信号に含まれる管理在高情報を抽出して、他の出納機２０の管理在高情報を取得する。また、管理在高情報取得部３１２は、機会在高管理部３３０及び手許在高管理部３５０から自身の出納機１０の管理在高情報を取得する。
【００６８】
在高算出部３１３は、自身の出納機２０の管理在高情報と他の出納機２０の管理在高情報とに基づいて、店舗全体の現金在高を算出するものである。ここで、各出納機２０の機械在高の算出については従来と同様に、各出納機２０から取得した機械在高を用いて、在高算出部３１３が算出する。一方、手許在高については手許在高合算部３１４が算出する。
【００６９】
手許在高合算部３１４は、手許在高について、各出納機２０からの現金バス在高の合算処理と、各出納機２０からの現金バス在高以外在高の合算処理とを行うものである。つまり、手許在高合算部３１４は、手許在高については、現金バス在高の合算と、現金バス在高以外の在高の合算とを区別して合算処理を行う。また、手許在高合算部３１４は、現金バス在高の合算値と、現金バス在高以外の在高の合算値とを足し合わせたものを手許在高とする。
【００７０】
情報出力部３１５は、在高算出部３１３より算出された算出結果をディスプレイ２１０に出力するものである。
【００７１】
被収集部３２０は、店舗全体の現金在高の集計を行う他の出納機２０からの要求に対して情報を要求元に提供する出納機２０の制御装置２０８が実行する機能ブロック図である。
【００７２】
被収集部３２０は、管理在高情報作成部３２１と、管理在高情報応答部３２３とを有する。
【００７３】
管理在高情報作成部３２１は、他の出納機２０から管理在高情報の取得要求を受けると、所定の管理在高情報を作成するものである。つまり、管理在高情報作成部３２１は、機械在高管理部３３０から自身の機械有高を取得する。また、管理在高情報作成部３２１は、手許在高管理部３５０から自身が管理する手許在高を取得する。
【００７４】
ここで、管理在高情報作成部３２１は、手許在高について、対応する現金バス装置１０の現金バス在高と、現金バス在高以外の在高とを計算する手許在高算出部３２２を有する。つまり、現金バス在高管理部３５１は現金バス在高を管理しているので、手許在高算出部３２２は現金バス在高を知ることができる。また、手許在高算出部３２２は、手許在高管理部３５０からの手許在高の額から現金バス在高を減算することにより、現金バス在高以外の在高を算出することができる。
【００７５】
管理在高情報応答部３２３は、管理在高情報作成部３２１により作成された管理在高情報を含む応答を、要求元の出納機２０に与えるものである。このとき、通信部３７０が、要求元の出納機２０宛に対して、管理在高情報を含む応答信号を送信する。
【００７６】
記憶部３６０は、機械在高、手許在高、現金バス在高等を記憶するものである。
【００７７】
（Ａ−１−３）現金バス装置１０の構成
図６は、実施形態に係る現金バス装置１０の外観構成を示す構成図である。なお、複数台の現金バス装置１０−１及び１０−２はいずれも同一又は対応するものを適用することができる。そのため、以下では、現金バス装置１０と表現して、現金バス装置の構成を詳細に説明する。
【００７８】
図６において、実施形態の現金バス装置１０は、箱型の現金バス装置本体１１、現金バス装置本体１１の内部に収納可能な複数段（図６では８段）の収納庫１２（１２（ａ）〜１２（ｃ））、操作表示部１５、プリンタ１６を有する。
【００７９】
複数段の収納庫１２（１２（ａ）〜１２（ｃ））はそれぞれ、紙幣の小束や棒金を金種別に収納するものである。各収納庫１２は、現金バス装置本体１１の内部の左右側壁に設けられたスライドレール１３に案内されてスライド開閉するものである。
【００８０】
複数段の収納庫１２のうち最も上側にある収納庫１２（ａ）は、予備収納庫である。予備収納庫としての収納庫１２（ａ）は、例えば、結束されていない紙幣、包装されていない硬貨、汚損紙幣や汚損硬貨、金券等を収納するものである。
【００８１】
収納庫１２（ａ）以外の収納庫１２（ｂ）及び収納庫１２（ｃ）は、小束や棒金を金種別に収納するものである。収納庫１２（ｂ）及び収納庫１２（ｃ）に収納される金種は、特に限定されるものではない。例えば、収納庫１２（ｂ）及び収納庫１２（ｃ）に収納される金種が予め設定されているものであっても良い。
【００８２】
例えば、図６の場合、４段の収納庫１２（ｂ）は小束を金種別に収納する小束収納庫とし、３段の収納庫１２（ｃ）は棒金を金種別に収納する棒金収納庫１２（ｃ）とする。なお、小束収納庫としての収納庫１２（ｂ）や棒金収納庫としての収納庫１２（ｃ）の数は、特に限定されるものではなく任意に設定可能である。例えば、収納庫１２（ｂ）及び収納庫１２（ｃ）の全てを小束収納庫又は硬貨収納庫としても良い。また例えば、収納庫１２（ｂ）が硬貨収納庫であり、収納庫１２（ｃ）が紙幣収納庫であっても良い。
【００８３】
複数段の収納庫１２のそれぞれは、現金バス装置本体１１の内部に設けてあるロック機構２２（図７参照）により個別に解錠又は施錠される。それぞれの収納庫１２は、ロック機構２２により解錠されるとスライド可能となる。そして、再度、収納庫１２が現金バス装置本体１１に収めされると、収納庫１２はロック機構２２により個別に施錠される。なお、ロック機構２２は、種々のロック機構を広く適用することができ、例えば電子ロック機構（電子錠機構）等を適用することができる。
【００８４】
また、複数段の収納庫１２のそれぞれは、ロック機構２２のロック解除時に点灯する表示部２３を有する。
【００８５】
操作表示部１５は、利用者による操作入力がなされるものであり、又は装置状態や利用者に入力された入力情報を表示するものである。操作表示部１５は、利用者に対してガイダンスを表示する表示部１７と、利用者認証のためのＩＤカードを操作するカードリーダ１８と、入力手段としての操作キーボード１９と、警告音や警報音等を出力する警報手段１４とを有している。
【００８６】
図７は、実施形態の現金バス装置１０の制御構成を示すブロック図である。図７に示すように、現金バス装置１０は、制御部２５、記憶部２６、操作表示部１５、プリンタ１６、警報手段１４、通信部２７、ロック機構２２、表示部２３、小束検出センサ６０、棒金検出センサ６５、全閉検出センサ７０、全開検出センサ７５を有する。
【００８７】
なお、操作表示部１５、プリンタ１６、警報手段１４、ロック機構２２及び表示部２３は、図６を用いて説明した構成にそれぞれ対応する。
【００８８】
制御部２５は、現金バス装置１０全体の機能を制御するものである。
【００８９】
制御部２５は、所定の認証処理後、操作表示部１５を通じて、現金の収納又は取り出しの操作指示を受け取ると、指示された金種の収納庫１２のロック機構２２に対してロック解除を指示するものである。
【００９０】
また、制御部２５は、ロック解除された収納庫１２に対応する小束検出センサ６０又は棒金検出センサ６５から収納されている小束又は棒金の数量情報を取得する。そして、制御部２５は、小束検出センサ６０又は棒金検出センサ６５により検出された数量情報に基づいて、当該金種の小束又は棒金の現金在高を認識する。制御部２５は、金種別の現金在高を記憶部２６に記憶する。
【００９１】
さらに、制御部２５は、ロックが解除された収納庫１２に対応する全開検出センサ７０及び全閉検出センサ７５のセンサ信号に基づき、一度全開した収納庫１２が現金バス装置本体１１に収められたときに、ロック機構２２に対して施錠指示を行うものである。つまり、全開検出センサ７０からのセンサ信号を受信した後、全閉検出センサ７５からのセンサ信号を受信すると、制御部２５は、収納庫１２が一度開き、その後現金バス装置本体１１に収められたものと判断する。
【００９２】
また、制御部２５は、当該現金バス装置１０の現金バス在高を記憶部２６から読み出し、通信部２７を介して、接続する出納機２０に通知する。上述したように、現金バス装置１０の現金バス在高の通知方法は、種々の方法を適用することができる。
【００９３】
記憶部２６は、現金バス装置１０に保管される金種別の現金在高に関する情報や、制御部２５が実行する処理プログラム等を記憶するものである。
【００９４】
小束検出センサ６０は、収納庫１２に収納されている小束を検出するものである。小束検出センサ６０は、収納庫１２に収納されている小束の数量を検出することができれば種々の方式を適用することができる。例えば、小束検出センサ６０が光学反射型センサであり、小束検出センサ６０が、収納庫に収納されている小束の紙帯部分の長さ又は検出時間等に基づいて小束の数量を検出する方法を適用することができる。また例えば、小束検出センサ６０が収納庫１２に収納されている小束の重量を検出し、その検出した重量に基づいて小束の数量を検出するものであっても良い。
【００９５】
棒金検出センサ６５は、収納庫１２に収納されている小束を検出するものである。棒金検出センサ６５は、収納庫１２に収納されている棒金の数量を検出することができれば、種々の方式を広く適用することができる。例えば、棒金検出センサ６５が、光学反射型センサであり、縦に並べられている棒金の数を検出して、棒金の数量を検出するものを適用できる。また例えば、棒金検出センサ６５が、収納庫１２の重量を検出し、その重量に基づいて収納庫１２に収められている棒金の数量を検出すルものであっても良い。
【００９６】
全閉検出センサ７０は、ロック解除された収納庫１２の全閉状態を検出するものである。また、全開検出センサ７５は、ロック解除された収納庫１２の全開状態を検出すルものである。
【００９７】
（Ａ−２）実施形態の動作
次に、実施形態に係る現金処理システム１００における現金在高の管理処理の動作を、図面を参照しながら詳細に説明する。
【００９８】
図８は、実施形態に係る現金在高の管理処理の動作を示すシーケンス図である。ここでは、２台の出納機２０−１及び２０−２のうち、出納機２０−１が店舗全体の現金在高を算出するものである。
【００９９】
まず、利用者により締め上げ処理の開始操作がなされると、出納機２０−１は締め上げ処理を開始する（Ｓ１０１）。
【０１００】
出納機２０−１において、締め上げ処理が開始すると、出納機２０−１は他の出納機２０−２に対して管理在高情報の要求信号を送信する（Ｓ１０２）。
【０１０１】
出納機２０−２に管理在高情報の要求信号が与えられると、出納機２０−２において、制御装置２０８は、自身（出納機２０−２）が管理する機械在高と手許在高とを読み出し、機械在高及び手許在高に基づいて管理在高情報を作成する（Ｓ１０３）。
【０１０２】
具体的には、出納機２０−２の制御装置２０８において、被収集部３２０は、機械在高管理部３３０から自身の金種別の機械有高を取得する。また、被収集部３２０は、手許在高管理部３５０から金種別の全体手許在高を取得する。
【０１０３】
このとき、被収集部３２０は、現金バス在高管理部３５１から対応する現金バス装置１０の金種別の現金在高を取得する。そして、被収集部３２０は、全体手許在高から現金バス在高を減算する。これにより、金種別の現金バス在高と、現金バス在高以外の金種別の在高とが得られる。
【０１０４】
出納機２０−２は、自身の機械有高と、自身が管理する現金バス装置１０−２における現金バス在高と、現金バス装置１０−２以外の現金在高とを含むものを管理在高情報として作成する。
【０１０５】
なお、現金バス在高以外の在高は、例えば、金庫に保管される現金在高、金融機関の外交員のための準備金や、現金自動預払機や両替機等に存在する現金在高等が含まれる。これらの現金バス在高以外の在高は、出納機２０において、係員により手入力で管理される。
【０１０６】
出納機２０−２は、機械在高と、現金バス在高と、現金バス在高以外の在高とを含む管理在高情報を、要求元の出納機２０−１に送信する（Ｓ１０４）。
【０１０７】
出納機２０−１では、他の出納機２０−２から管理在高情報を取得すると共に、自身（出納機２０−１）の管理在高情報も取得する（Ｓ１０５）。そして、出納機２０−１では、制御装置２０８が、自身及び他の出納機２０−１からの管理在高情報に基づいて、店舗全体の現金在高を算出する（Ｓ１０６）。
【０１０８】
例えば、出納機２０−１の管理在高は「１，４００万円」であるとする。その内訳は、出納機２０−１の機械在高は「５００万円」、手許在高が「９００万円」とする。また、出納機２０−１に接続する現金バス装置１０−１の現金バス在高が「３００万円」であるとする。
【０１０９】
一方、出納機２０−２の管理在高は「６００万円」であるとする。その内訳は、出納機２０−２の機械在高は「４００万円」、手許在高が「２００万円」とする。また、出納機２０−２に接続する現金バス装置１０−２の現金バス在高が「２００万円」であるとする。
【０１１０】
この場合、出納機２０−１は、出納機２０−１の機械在高「５００万円」、出納機２０−２の機械在高「４００万円」として管理する。
【０１１１】
また、手許在高について、出納機２０−１は、現金バス在高と、現金バス在高以外の在高とに区別して算出する。
【０１１２】
従って、図９に示すように、出納機２０−１は、出納機２０−１自身の現金バス在高「３００万円」と出納機２０−２の現金バス在高「２００万円」とを合算し、店舗全体の現金バス在高「５００万円」を算出する。
【０１１３】
また、出納機２０−１は、出納機２０−１自身の現金バス在高以外の在高「６００万円」と出納機２０−２の現金バス在高以外の在高「０万円」とを合算し、店舗全体の現金バス在高以外の在高「６００万円」を算出する。
【０１１４】
さらに、出納機２０−１は、店舗全体の現金バス在高「５００万円」と、現金バス在高以外の在高「６００万円」とを合算して、店舗全体の手許在高「１，１００万円」を算出する。
【０１１５】
（Ａ−３）実施形態の効果
以上のように、この実施形態によれば、複数台の出納機と現金バス装置の接続において、出納機の締上による出納機の手許在高合算を行う際に、現金バス在高を除いた手許在高を合算することで、出納機が接続している現金バス装置の在高を管理することができる。
【０１１６】
（Ｂ）他の実施形態
上述した実施形態においても本発明の種々の変形実施形態を説明したが、本発明は、以下のような他の変形実施形態についても適用することができる。
【０１１７】
（Ｂ−１）上述した実施形態では、１台の出納機が１台の現金バス装置と接続する場合を説明した。しかし、図１に示すように、１台の出納機２０−１が、複数台の現金バス装置１０−１〜１０−３と接続するものであっても良い。このよう場合、現金バス装置は、金庫として利用されるものである。そこで、出納機２０−１は、複数台の現金バス装置１０−１〜１０−３毎の現金バス在高を求めるのではなく、複数台の現金バス装置１０−１〜１０−３から取得した金種別の現金在高を集約したものを現金バス在高としてもよい。勿論、それぞれの現金バス装置に識別情報（例えば管理ＩＤ等）を付与して、出納機が現金バス装置毎の金種別の現金バス在高を管理するようにしても良い。
【０１１８】
（Ｂ−２）上述した実施形態では、本発明の現金処理システムが店舗内の複数の出納機の間のシステムを例示した。しかし、例えば、図１２に示すように、管理端末８０が、ネットワークを介して店舗内の情報を収集して管理するシステムにも本発明を適用することができる。つまり、出納機２０−１が集計した現金バス装置１０−１及び１０−２の現金在高を管理端末８０に通知するようにしても良い。
【符号の説明】
【０１１９】
１００…現金処理ステム、１０−１及び１０−２…現金バス装置、２０−１及び２０−２…出納機、
２０１…紙幣入出金機、２０２…施封小束支払機、２０３…紙幣補充回収機、２０４…新券支払機、２０５…棒金支払機、２０６…硬貨入出金機、２０７…現金外ポスト、２０８…制御装置、２０９…認証プリンタ、２１０…ディスプレイ、２１１…キーボード、
３００…現金処理制御部、３１０…集計処理部、３２０…被収集部、３３０…機械在高管理部、３４０…現金バス連携処理部、３５０…手許在高管理部、３６０…記憶部、３７０…通信部。
【図１】
2014153952.tif 000003
【図２】
2014153952.tif 000004
【図３】
2014153952.tif 000005
【図４】
2014153952.tif 000006
【図５】
2014153952.tif 000007
【図６】
2014153952.tif 000008
【図７】
2014153952.tif 000009
【図８】
2014153952.tif 000010
【図９】
2014153952.tif 000011
【図１０】
2014153952.tif 000012
【図１１】
2014153952.tif 000013
【図１２】
2014153952.tif 000014